(57)【要約】【課題】三つのハンマー部を備えたセルフアラインメント構造の長所をそのまま利用しつつクロノグラフ時の表示を省いたクロノグラフ時計の提供【解決手段】クロノグラフ時計１は、分及び秒ハートカム４４，４３並びにクロノグラフ真以外の軸部８０の力受体と、リセットボタンの押圧に応じて回動される第一及び該第二の復針伝えレバー６２，６３の作動部６３ｃによる作動力Ｆを受ける被作動部６５ｃ、分及び秒ハンマー６７ｂ，６７ａ並びに第三のハンマー６７ｃを備えた復針レバー６４であって、被作動部に加えられた作動力Ｆに従って動かされる際に、該被作動部において受ける作動力Ｆと分及び秒ハンマー６７ｂ，６７ａ並びに第三のハンマー６７ｃにおいて分及び秒ハートカム４４，４３並びに力受体８０から受ける反力Ｆ２，Ｆ１，Ｆ３とが釣合うように、姿勢が決定されるべく、案内されるように構成されているもの６４とを有する。【選択図】図４
2010151642.tif 000002
【特許請求の範囲】
【請求項１】
分クロノグラフ真に取付けられた分ハートカム、秒クロノグラフ真に取付けられた秒ハートカム及びクロノグラフ真以外の軸部の力受体と、
リセットボタンの押圧に応じて回動される第一の復針伝えレバー及び該第一の復針伝えレバーの回動に応じて回動される第二の復針伝えレバーと、
該第二の復針伝えレバーの回動に従い該第二の復針伝えレバーの作動部による作動力を受ける被作動部を備えると共に該作動力を受けた際に前記分及び秒ハートカム並びに力受体の夫々に圧接される分及び秒ハンマー並びに第三のハンマーを備えた復針レバーと
を有し、
前記復針レバーが前記被作動部に加えられた前記作動力に従って動かされる際に、該復針レバーが該被作動部において受ける作動力と前記分及び秒ハンマー並びに第三のハンマーにおいて前記分及び秒ハートカム並びに力受体から受ける反力とが釣合うように、前記復針レバーの姿勢が決定されるべく、前記復針レバーが案内されるように構成されている
クロノグラフ時計。
【請求項２】
前記復針レバーが支持基板から突出した二本のガイドピンに嵌合される細長い開口を有し、前記分及び秒ハンマー並びに第三のハンマーが前記分及び秒ハートカム並びに力受体に圧接される際の前記二本のガイドピンの夫々と前記開口の嵌合部分との間に開口の長手方向に交差する方向への前記復針レバーの揺動を許容する隙間が形成されるように構成された請求項１に記載のクロノグラフ時計。
【請求項３】
クロノグラフ真以外の前記軸部が、時クロノグラフ車の代わりとなる度決め車の軸部からなる請求項２に記載のクロノグラフ時計。
【請求項４】
前記第三のハンマーが当たる力受体が、前記度決め車の軸部よりも大径の円板状部からなる請求項３に記載のクロノグラフ時計。
【請求項５】
クロノグラフ真以外の前記軸部が２４時車の軸部からなる請求項２に記載のクロノグラフ時計。
【請求項６】
前記力受体が、前記２４時車の２４時真に嵌合された度決めブシュからなる請求項５に記載のクロノグラフ時計。
【請求項７】
前記度決めブシュが、２４時真に摺動回転可能に嵌合され、且つ該２４時真の延在方向にばねによって偏倚されると共に止め座によって係止されるように構成された請求項６に記載のクロノグラフ時計。
【発明の詳細な説明】
【技術分野】
【０００１】
本発明は、クロノグラフ時計に係る。
【背景技術】
【０００２】
「セルフアラインメント」式すなわち、リセットボタンの押圧に応じて回動される第一の復針伝えレバー及び該第一の復針伝えレバーの回動に応じて回動される第二の復針伝えレバーと、該第二の復針伝えレバーの回動に作動部に従い該第二の復針伝えレバーの作動部からの作動力を被作動部で受けて動かされる復針レバーとを有し、該復針レバーが被作動部に加えられた作動力に従って動かされる際に、該復針レバーが該被作動部において受ける作動力と分及び秒ハンマー並びに第三のハンマーにおいて前記分及び秒ハートカム並びに力受体から受ける反力とが釣合うように、復針レバーの姿勢が決定されるべく、復針レバーが案内されるように構成されているタイプ（以下では「セルフアラインメント」（自己位置調整又は自動位置調整）ともいう）タイプのクロノグラフ時計は、提案されている（特許文献１）。
【０００３】
このタイプの従来のクロノグラフ時計では、復針レバーの三つのハンマーは、時クロノグラフ真に取付けられた時ハートカムに圧接されて該時ハートカムを帰零させる時ハンマーと、分クロノグラフ真に取付けられた分ハートカムに圧接されて該分ハートカムを帰零させる分ハンマーと、秒クロノグラフ真に取付けられた秒ハートカムに圧接されて該秒ハートカムを帰零させる秒ハンマーとからなる。
【０００４】
クロノグラフ時計としては、クロノグラフ時の表示のないものが、求められることも少なくない。
【０００５】
しかしながら、このセルフアラインメント式のクロノグラフ時計では、剛性の復針レバーが三つのハンマーを備え、該三つのハンマーで受ける力（反力）と第二の復針伝えレバーから被作動部で受ける作動力とが釣合うように三つのハンマーの位置が動作中に調整されるように構成されていることから、時クロノグラフ真及び時ハートカムその他の時クロノグラフ部を取り除くと、セルフアラインメント機能自体も失われ、復針レバーが実際上まともに動作しなくなる。従って、このセルフアラインメント式のクロノグラフ時計では、時分秒に代えて分秒のクロノグラフ時計にするためには、時計の設計を実際上やり直さざるを得ない。また、三つのハンマーを備えた場合に適合するように設計されたセルフアラインメント構造が生かされなくなる。
【特許文献１】特開２００４−２９４２７７号公報
【発明の開示】
【発明が解決しようとする課題】
【０００６】
本発明は、前記諸点に鑑みなされたものであって、その目的とするところは、三つのハンマーを備えたセルフアラインメント構造の長所をそのまま利用しつつクロノグラフ時の表示を省いたクロノグラフ時計を提供することにある。
【課題を解決するための手段】
【０００７】
本発明のクロノグラフ時計は、前記目的を達成すべく、分クロノグラフ真に取付けられた分ハートカム、秒クロノグラフ真に取付けられた秒ハートカム及びクロノグラフ真以外の軸部の力受体と、リセットボタンの押圧に応じて回動される第一の復針伝えレバー及び該第一の復針伝えレバーの回動に応じて回動される第二の復針伝えレバーと、該第二の復針伝えレバーの回動に従い該第二の復針伝えレバーの作動部による作動力を受ける被作動部を備えると共に該作動力を受けた際に前記分及び秒ハートカム並びに力受体の夫々に圧接される分及び秒ハンマー並びに第三のハンマーを備えた復針レバーとを有し、前記復針レバーが前記被作動部に加えられた前記作動力に従って動かされる際に、該復針レバーが該被作動部において受ける作動力と前記分及び秒ハンマー並びに第三のハンマーにおいて前記分及び秒ハートカム並びに力受体から受ける反力とが釣合うように、前記復針レバーの姿勢が決定されるべく、前記復針レバーが案内されるように構成される。
【０００８】
本発明のクロノグラフ時計では、分ハートカム及び秒ハートカムに加えて、「クロノグラフ真以外の軸部の力受体」が設けられているので、「リセットボタンの押圧に応じて回動される第一の復針伝えレバー及び該第一の復針伝えレバーの回動に応じて回動される第二の復針伝えレバーの回動に従い該第二の復針伝えレバーの作動部による作動力を受ける被作動部を備えると共に該作動力を受けた際に前記分及び秒ハートカム並びに力受体の夫々に圧接される分及び秒ハンマー並びに第三のハンマーを備えた復針レバーであって、前記被作動部に加えられた前記作動力に従って動かされる際に、該被作動部において受ける作動力と前記分及び秒ハンマー並びに第三のハンマーにおいて前記分及び秒ハートカム並びに力受体から受ける反力とが釣合うように、姿勢が決定されるべく、案内されるように構成されたもの」が、本来のセルフアラインメント機能を発揮して、分ハートカム及び秒ハートカムを適切に叩いてクロノグラフ分針及びクロノグラフ秒針を同時に帰零させ得る。すなわち、復針レバーが、第二の復針伝えレバーからの作動力に応じて分及び秒ハンマーで分及び秒ハートカムに圧接される際に第三のハンマーで前記力受体に圧接されることにより、分ハートカム及び秒ハートカムを適切に叩いてクロノグラフ分針及びクロノグラフ秒針を同時に帰零させ得る。ここで、力受体は、従来の時ハートカムと同じ径の部分で第三のハンマーの圧接力を受けることになる。すなわち、本発明のクロノグラフ時計では、クロノグラフ真以外の前記軸部が、時ハートカムと同様に復針レバーの第三のハンマーによる圧接力を受けるので、その構造を大幅に変更しなくても、三つのクロノグラフ真（秒クロノグラフ真、分クロノグラフ真および時クロノグラフ真）がある時分秒クロノグラフ式の元々のクロノグラフ時計と同様にリセット動作が同時に且つ確実に行われ得る。すなわち、クロノグラフ時の表示を行わない点でクロノグラフ仕様の異なるクロノグラフ車（製品）であっても、セルフアラインメント機能のある復針レバーを含む部品がそのまま用いられ得る。
【０００９】
また、本発明のクロノグラフ時計では、前記のクロノグラフ真以外の軸部及び力受体を設けるだけで時ハートカムを含むときクロノグラフ車が不要になり、コストが削減され得る。
【００１０】
本発明のクロノグラフ時計では、好ましくは、前記復針レバーが支持基板から突出した二本のガイドピンに嵌合される細長い開口を有し、前記分及び秒ハンマー並びに第三のハンマーが前記分及び秒ハートカム並びに力受体に圧接される際の前記二本のガイドピンの夫々と前記開口の嵌合部分との間に開口の長手方向に交差する方向への前記復針レバーの揺動を許容する隙間が形成されるように構成される。
【００１１】
この場合、復針レバーが前記被作動部に加えられた前記作動力に従って動かされる際に、該復針レバーが該被作動部において受ける作動力と前記分及び秒ハンマー並びに第三のハンマーにおいて前記分及び秒ハートカム並びに力受体から受ける反力とが釣合うように、前記復針レバーの姿勢が決定されるべく、前記復針レバーが案内され得る。ここで、典型的には、前記分及び秒ハンマー並びに第三のハンマーが前記分及び秒ハートカム並びに力受体に圧接される際、第二の復針伝えレバーの作動部から復針レバーの被作動部に加えられる作動力が、二つのハートカム及び力受体からなる三つの部材のうち真中に位置する部材の真ないし軸部の中心に向かうように、作動部及び被作動部が構成され、復針レバーの自動的な位置調整が確実に行われることにより、二つのハートカムを確実に同時に帰零し得る。
【００１２】
なお、以上において、支持基板は、典型的にはクロノグラフ地板の如き地板又は受からなる。また、細長い開口は、長穴や溝（長穴の一端が開口しているもの）からなる。二本のガイドピンは、一つながりの開口内に位置していてもよいけれども、典型的には、夫々、相互に分離された二つの開口部に嵌合される。
【００１３】
本発明のクロノグラフ時計では、好ましくは、クロノグラフ真以外の前記軸部が、時クロノグラフ車の代わりとなる度決め車の軸部からなる。
【００１４】
この場合、クロノグラフ真以外の前記軸部として、単に、機械的な打撃を受ける度決め車を設けるだけで、クロノグラフ時計のセルフアラインメント機能がそのまま生かされ得、また、その構造の変更を最低限にとどめ得る。
【００１５】
上記の場合、本発明のクロノグラフ時計では、好ましくは、前記第三のハンマーが当たる力受体が、前記度決め車の軸部よりも大径の円板状部からなる。
【００１６】
この場合、円板状部の径を従来のクロノグラフ時計の時ハートカムの最小径部のサイズに合わせておけばよいから、他の点の自由度が増す。
【００１７】
但し、所望ならば、クロノグラフ真以外の前記軸部が度決め車ではなく、何らかの別の役割のある軸部であってもよい。
【００１８】
この観点では、本発明のクロノグラフ時計では、好ましくは、クロノグラフ真以外の前記軸部が２４時車の軸部からなる。
【００１９】
この場合、２４時車の軸部がクロノグラフ真以外の前記軸部として働くので、クロノグラフ時計のセルフアラインメント機能がそのまま生かされ得、また、その構造の変更を最低限にとどめ得るだけでなく、クロノグラフ真以外の前記軸部及びその周りのスペースが２４時車及び関連輪列の配置に利用され得、文字板の関連領域が２４時針の表示にそのまま用いられ得る。
【００２０】
但し、所望ならば、クロノグラフ真以外の前記軸部が２４時間車以外の車の配置に用いられてもよい。その場合、小針機能ないし小窓表示のバリエーションを増やし得る。
【００２１】
本発明のクロノグラフ時計では、好ましくは、前記力受体が、前記２４時車の２４時真に嵌合された度決めブシュからなる。
【００２２】
この場合、度決めブシュの径が従来の時ハートカムの最小径に一致するようにするだけで、２４時車の他の条件は自由に決め得る。
【００２３】
本発明のクロノグラフ時計では、好ましくは、前記度決めブシュが、２４時真に摺動回転可能に嵌合され、且つ該２４時真の延在方向にばねによって偏倚されると共に止め座によって係止されるように構成される。
【００２４】
この場合、度決めブシュが自由に回転され得るから、前記残りの一つのハンマー部が度決めブシュに対して半径方向からズレた向きに力を受けると回転されることにより、前記残りの一つのハンマーに対して該度決めブシュの半径方向の反力を及ぼし得る。
【００２５】
なお、度決めブシュと、ばね及び止め座との組合せ構造は、前記の度決め車に適用されてもよい。
【発明を実施するための最良の形態】
【００２６】
本発明の好ましい実施の形態のいくつかを添付図面に示した好ましい実施例に基づいて説明する。
【実施例】
【００２７】
本発明の好ましい一実施例のクロノグラフ時計１は、図１から図４に示したような構造を有する。
【００２８】
クロノグラフ時計１は、図２からわかるように、地板１０、クロノグラフ地板１１及びクロノグラフ受１２のような支持基板を備え、香箱車（図示せず）の回転に伴う二番車（図示せず）及び三番車（図示せず）の回転に応じて、四番車２１及び分車２２が回転されるように構成されている。四番車２１は四番かな（図示せず）で三番車の三番歯車（図示せず）に噛合し、四番車２１と同心の分車２２は分歯車２２ａで三番車の三番かな（図示せず）に噛合している。
【００２９】
四番車２１の四番真２１ａに取り付けられた秒伝え車２９から秒クロノグラフ中間車３５を介して秒クロノグラフ車３０の秒クロノグラフ歯車３１に回転が伝えられ、秒クロノグラフ車３０の秒クロノグラフ真３２に取付けられたクロノグラフ秒針３３によってクロノグラフ秒が表示される。秒クロノグラフ真３２は四番車２１や分車２２と同心で、該秒クロノグラフ真３２には、秒ハートカム３４が取付けられている。
【００３０】
図１、図３及び図４からわかるように、秒クロノグラフ車３０は、クロノグラフ時計１の中心に位置する回転中心軸線Ｃのまわりで回転可能であり、秒クロノグラフ真３２は該回転中心軸線Ｃに沿って延び、秒ハートカム３４は該中心軸線Ｃのまわりに位置する。
【００３１】
なお、四番車２１には秒車２３が結合され、該秒車２３の秒真２３ａには秒針２３ｂが取付けられている。秒針２３ｂは、図３の概観図からわかるように、中心Ｃから３時側にズレた位置において小さい秒表示領域で動く小秒針の形態である。
【００３２】
分車２２は、複数の一体的な同軸の歯車部（大歯車部）及びかな部（小歯車部）からなる第二日の裏車２４（図１）を介して、第二分車２５及び筒車２６に連結され、第二分車２５の筒状の真２５ａには分針２５ｂが取付けられ、これと同心の筒車２６の大径筒状真２６ａには時針２６ｂが取付けられている。１４はリュウズである。１５は文字板１６の日表示窓１６ａを介して日付１５ａが表示される日車である。
【００３３】
なお、第二日の裏車２４は、そのひとつの歯車部（図示せず）で分クロノグラフ中間車４１ａに連結され、該分クロノグラフ中間車４１ａは別の分クロノグラフ中間車４１ｂを介して分クロノグラフ車４０に連結されている。分クロノグラフ車４０の分クロノグラフ真４２にはクロノグラフ分針４３（図３）及び分ハートカム４４が取付けられている。
【００３４】
分クロノグラフ車４０の回転中心軸線ＣＭは、クロノグラフ時計１の回転中心Ｃに対して時計の９時の方向に位置する。分クロノグラフ車４０は、回転中心軸線ＣＭのまわりで回転可能であり、分クロノグラフ真４２は該回転中心軸線ＣＭに沿って延び、分ハートカム４４は該中心軸線ＣＭのまわりに位置する。
【００３５】
分クロノグラフ車４０は、分クロノグラフ中間車４１ｂに噛合した分クロノグラフ歯車４５と分クロノグラフ真４２との間に分クロノグラフ車クラッチリング（図示せず）を備え、該クラッチリングが分発停レバー５３によって規正されると、分クロノグラフ歯車４５が回転しても分クロノグラフ真４２は回転しない。
【００３６】
クロノグラフ機構２は、上記クロノグラフ関連輪列３に加えて、以下のようなクロノグラフ作動機構４を有する。クロノグラフ作動機構４は、クロノグラフの発停に係る機構（クロノグラフ発停機構）５及びリセット（帰零）に係る機構（クロノグラフリセット（帰零）機構）６を含む。
【００３７】
クロノグラフ発停機構５は、発停（スタート・ストップ）ボタン５１，第一及び第二作動レバー５２ａ，５２ｂ（夫々、作動レバーＡ及び作動レバーＢともいう），分発停レバー５３，秒関連の第一及び第二の発停レバー５４ａ，５４ｂ（夫々、発停レバーＡ及び発停レバーＢともいう）を含む。第一及び第二作動レバー５２ａ，５２ｂに関連して作動レバーばね５２ｃが設けられ、第二発停レバー５４ｂに関連して発停レバーばね５４ｃが設けられている。なお、クロノグラフ作動機構４は作動カム８及び停止レバー９と協働して動作し、作動カム８に関連して作動カムジャンパ８ａが設けられている。
【００３８】
ここで、クロノグラフ機構２が停止状態にある際にクロノグラフ発停機構５の発停ボタン５１が押されると、クロノグラフ計時動作（表示動作を含む）の開始が指示される。すなわち、発停ボタン５１の押圧に応じて、第一及び第二作動レバー５２ａ，５２ｂが回動して作動カム８が一ステップだけ回転されてクロノグラフ計時動作を許容する。すなわち、作動カム８の一ステップの回転に応じて、一方では、第一及び第二発停レバー５４ａ，５４ｂが回動されて、秒クロノグラフ中間車３５の回転を許容し、秒伝え車２９から秒クロノグラフ中間車３５を介して秒クロノグラフ車３０に回転が伝達されて、秒クロノグラフ車３０の回転に伴うクロノグラフ秒の表示が行われる。また、作動カム８の一ステップの回転に応じて、他方では、分発停レバー５３が回動されて分クロノグラフ車４０の分クロノグラフ真４２の回転を許容し、該分クロノグラフ車４０の回転に伴うクロノグラフ分の表示が行われる。
【００３９】
一方、クロノグラフ機構２がクロノグラフ計時動作中にクロノグラフ発停機構５の発停ボタン（スタート・ストップボタン）５１が押されると、クロノグラフ計時動作の停止が指示される。すなわち、発停ボタン５１の押圧に応じて、第一及び第二作動レバー５２ａ，５２ｂが回動して作動カム８が更に一ステップだけ回転されてクロノグラフ計時動作を停止させる。すなわち、作動カム８の一ステップの回転に応じて、一方では、第一及び第二発停レバー５４ａ，５４ｂが回動されて秒クロノグラフ中間車３５の回転が不能にされ、他方では、分発停レバー５３が回動されて、分クロノグラフ車４０の回転が不能にされる。また、作動カム８の前記一ステップの回転に応じて、作動カム８が停止レバー９を作動させて、秒クロノグラフ真３２の回転を規正する。
【００４０】
これに対して、クロノグラフリセット機構ないしクロノグラフ帰零機構６は、リセット（帰零）ボタン６１と、該リセットボタン６１のＡ１方向の押圧に応じてＢ１方向に回動される第一復針伝えレバー（「復針伝えレバーＡ」ともいう）６２と、該第一復針伝えレバー６２のＢ１方向回動によりＤ１方向に回動される第二復針伝えレバー（「復針伝えレバーＢ」ともいう）６３と、該第二復針伝えレバー６３のＤ１方向回動により概ねＥ１方向に変位される復針レバー６４とを有する。７１はクリックばねである。
【００４１】
なお、第一復針伝えレバー６２はＢ１方向回動の際に停止レバー９に係合して該停止レバー９による秒クロノグラフ車３０の回動規正を解除する。
【００４２】
クロノグラフ時計１の回転中心Ｃに対して時計の６時の方向において、中心軸線Ｃ，ＣＭ間の距離と同程度の距離だけ中心軸線Ｃから離れたところには、中心軸線ＣＳを中心として回転自在な度決め車８０が配置されている。度決め車８０は、中心軸線ＣＳに沿って延在する度決め軸８２と該度決め軸８２に嵌着された力受体としての円板状部８４とを有し、該度決め軸８２の中心軸線ＣＳのまわりで回転自在である。なお、この度決め車８０の中心軸線ＣＳの位置は、クロノグラフ時針が設けられる場合に時クロノグラフ車の回転中心がくるべき位置、換言すれば時ハートカムが取付けられる時クロノグラフ真の回転中心がくるべき位置に一致する。また、度決め車８０の円板状部８４の半径は、時ハートカムの最小径部の径に実際上一致する。
【００４３】
以下では、説明の簡明化のために、図４に示したように、中心Ｃから中心ＣＭに向かう９時の向きにＸ軸を採り、中心Ｃから中心ＣＳに向かう６時の向きにＹ軸と採る。
【００４４】
回動軸６３ａのまわりでＤ１，Ｄ２方向に回動可能な第二復針伝えレバー６３は、先端側腕部６３ｂの先端部にＵ字状の復針レバー作動部６３ｃを備え、Ｕの凹部６３ｄでピンに係合される。
【００４５】
復針レバー６４は、全体として鳥が飛んでいるような形状で、頭部側腕部６４ａ，胴尾部側腕部６４ｂ，両羽根側腕部６４ｃ，６４ｄを有する。
【００４６】
復針レバー６４の頭部側腕部６４ａには、細長い開口としての復針レバー案内部を構成する案内溝部６５ａが形成され、復針レバーの胴尾部腕部６４ｂには案内溝部６５ａと協働して細長い開口としての復針レバー案内部を構成する案内穴部ないし案内用長穴部６５ｂが形成されている。この案内溝部６５ａ及び案内穴部６５ｂは、支持基板としてのクロノグラフ地板１１のうちクロノグラフ受１２に対面する側の表面に突設された第一及び第二の復針レバーガイドピン６６ａ，６６ｂに嵌合している。ここで、第一及び第二の復針レバーガイドピン６６ａ，６６ｂの外周と案内溝部６５ａ及び案内穴部６５ｂの内面との間には僅かながら隙間がある。従って、復針レバー６４は、概ね、案内溝部６５ａ及び案内穴部６５ｂの延在方向に沿って、Ｅ１，Ｅ２方向に移動可能である。なお、案内溝部６５ａ及び案内穴部６５ｂの夫々の一端には、該溝部６５ａ及び穴部６５ｂの他の部分よりも若干大きい溝部分６５ａ１及び穴部分６５ｂ１が形成されている。従って、第一及び第二の復針レバーガイドピン６６ａ，６６ｂが、溝部分６５ａ１及び穴部分６５ｂ１内に位置する場合には、復針レバー６４の向きも多少変動可能である。
【００４７】
復針レバー６４の右羽根側腕部６４ｃには、被作動部としての復針レバー作動ピン６５ｃが突設され、該復針レバー作動ピン６５ｃは、第二復針伝えレバー６３の作動部としての復針レバー作動部６３ｃのＵ字状凹部６３ｄに嵌合され、第二復針伝えレバー６３のＤ１方向回動に応じて、作動力Ｆを受けて、Ｅ１方向に変位される。
【００４８】
復針レバー６４は、また、胴尾側腕部６４ｂの先端部に秒ハンマーとしての秒ハートカム接触部６７ａを備えると共に、右羽根側腕部６４ｃの先端部に分ハンマーとしての分ハートカム接触部６７ｂを備え、更に、左羽根側腕部６４ｄの先端部に第三のハンマーとしての度決め車接触部６７ｃを備える。
【００４９】
従って、リセットピン６１のＡ１方向の押圧に応じて、第二復針伝えレバー６３がＤ１方向に回動されると、復針レバー作動ピン６５ｃで復針レバー作動部６３ｃによる力Ｆを受け、案内溝６５ａ及び案内穴６５ｂでガイドピン６６ａ及び６６ｂに案内されてＥ１方向に変位された復針レバー６４は、秒ハートカム接触部６７ａで秒ハートカム３４に当接ないし圧接すると共に分ハートカム接触部６７ｂで分ハートカム４４に当接ないし圧接し、度決め車接触部６７ｃで度決め車８０（より詳しくは、該度決め車８０の円板状部８４）に丁度当接ないし圧接する。ここで、ハートカム接触部６７ａ，６７ｂが秒及び分ハートカム３４，４４並びに度決め車８０の円板状部８４に接触する領域に達すると、作動力Ｆは、その作用線が、実際上、中心軸線Ｃを通る向きに向く。当接状態ないし圧接状態が達成される際には、ガイドピン６６ａ及び６６ｂが、丁度、案内溝６５ａ及び案内穴６５ｂの大きめの溝部分６５ａ１及び穴部分６５ｂ１内に位置するので、復針レバー６４の接触部６７ａ，６７ｂが対応するハートカム３４，４４の最小径部に丁度当接ないし圧接し、且つ復針レバー６４の接触部６７ｃが度決め車８０の円板状部８４の外周面に丁度当接ないし圧接する状態が実現される。このとき、第二復針伝えレバー６３の復針レバー作動部６３ｃが復針レバー作動ピン６５ｃを介して復針レバー６４を押す力Ｆは、丁度、秒ハートカム３４が秒ハートカム接触部６７ａで復針レバー６４を押す力Ｆ１と、分ハートカム４４が分ハートカム接触部６７ｂで復針レバー６４を押す力Ｆ２と、度決め車８０の円板状部８４が度決めレバー接触部６７ｃを押す力Ｆ３との合力と丁度釣り合い、且つ四つの力Ｆ，Ｆ１，Ｆ２，Ｆ３が復針レバー６４に与えるトルクも、実際上釣合い、溝部分６５ａ１及び穴部分６５ｂ１の周壁がガイドピン６６ａ及び６６ｂを支える力が実際上働かなくても、復針レバー６４はが静止状態に保たれ得る。この状態では、復針レバー６４は、度決め車接触部６７ｃで度決め車８０の大径部８４に寄りかかると共に、秒ハートカム接触部６７ａ及び分ハートカム接触部６７ｂで秒ハートカム３４及び分ハートカム４４に圧接されて、秒クロノグラフ車３０及び分クロノグラフ車４０を帰零させる。
【００５０】
ここで、秒クロノグラフ車３０及び分クロノグラフ車４０の帰零が、時分秒の三つのクロノグラフ車がある場合と実際上同様に実現されるのは、時クロノグラフ車（時ハートカムを含む）のあるべき位置ＣＳに該時クロノグラフ車の代わりに度決め車８０が配設され、リセットの際の復針レバー６４の支持に関する限り、度決め車８０の円板状部８４が時ハートカムと同様に機能することによる。
【００５１】
以上において、度決め車８０が特許文献１の時クロノグラフ車の代わりをなし、更に該時クロノグラフ車の回転に係る中間車を欠く点を除いて、このクロノグラフ時計１は、実際上、特許文献１のクロノグラフ時計と同様に構成され得る。
【００５２】
なお、このクロノグラフ時計１では、度決め車８０は、分発停レバー５３とは係合しないので、真８２は分発停レバー５３のある領域では突出部がなく、該レバー５３からは離れている（図１及び図２参照）。ここで、分発停レバー５３は、時クロノグラフ車を備えたベースとなる構造のクロノグラフ時計では、時クロノグラフ車の回転規正にもかかわり、時分発停レバーと呼ばれていたものである。
【００５３】
復針レバー６４がリセット位置に位置決めされた際に、該復針レバー６４の度決め車接触部６７ｃを受けるのは、度決め車８０の代わりに他のものでもよく、より有効に活用するためには、別の表示車からなることが好ましく、例えば、図５から図７に示したように、２４時車９０からなる。
【００５４】
より詳しくは、２４時車９０は、図６に示したように、２４時中間車９１を介して筒車２６に結合された２４時歯車９２を有する。２４時歯車９２は、中心軸線ＣＳに沿って延びた２４時真９３のまわりで回転可能である。２４時車９０は、更に、２４時真９３に対して摺動回転可能に嵌合された力受体としての度決めブシュ９４を備え、該度決めブシュ９４は、２４時真９３に係止されたスリップばね止め座９５ｂに、２４時車スリップばね９５ａによって押付けられて保持されている。ここで、度決めブシュ９４が復針レバー６４の接触部６７ｃに対面する位置にあって、接触部６７ｃを受け止める。２４時真９３には、２４時針９６が取付けられている。
【００５５】
以上のようなクロノグラフ時計１Ｒにおいて、クロノグラフ機構２Ｒのクロノグラフ作動機構４Ｒのクロノグラフリセット機構６Ｒが度決め車８０の代わりに２４時車９０を備える点を除いて、クロノグラフ時計１の関連する機構２，４，６と同様に構成される。
【００５６】
以上の如く構成されたクロノグラフ時計１Ｒでは、リセットボタン６１の押圧に応じた第一及び第二復針伝えレバー６２，６３の回動に伴う復針レバー６４の変位によりクロノグラフリセット機構６Ｒがリセット動作を行う際に、復針レバー６４の腕部６４ｄの先端の接触部６７ｃが２４時間車９０の度決めブシュ９４に当ってセルフアラインメント式に位置決めされる点を除いて、クロノグラフ時計１のクロノグラフリセット機構６によるリセット動作と同様なリセット動作が行われる。
【００５７】
なお、このクロノグラフ時計１Ｒでは、２４時車９０が設けられているので、６時の位置において２４時間針９６による表示が行われる。
【００５８】
すなわち、このクロノグラフ時計１Ｒでは、従来の時分秒の三つのクロノグラフ針による表示が行われる場合に関連輪列や針等によって占有されていた領域が空所になる代わりに、２４時車９０による２４時間の表示に関連する輪列や針によって有効に活用され得る。更に、この２４時車９０に関連する輪列は、中間車９１を筒車２６に連結するだけでよいので、従来の時クロノグラフ輪列と同程度又はそれ以上に配置し易い。
【００５９】
２４時車の代わりに別の機能の車を用いて、その真（軸部）においてハンマー部６７ｃを受けるようにし、それに応じて該真の文字板側突出部に対応する針を設けるだけで、前記別の機能に応じた表示を行い得る。
【図面の簡単な説明】
【００６０】
【図１】本発明の好ましい一実施例のクロノグラフ時計の関連機構を示した平面説明図。
【図２】図１のクロノグラフ時計の断面説明図。
【図３】図１のクロノグラフ時計を文字板側からみた平面説明図。
【図４】図１のクロノグラフ時計の復針レバーによるセルフアラインメント構造を示した平面説明図。
【図５】図１のクロノグラフ時計の変形例についての図１と同様な平面説明図。
【図６】図５のクロノグラフ時計についての図２と同様な断面説明図。
【図７】図１のクロノグラフ時計についての図３と同様な平面説明図。
【符号の説明】
【００６１】
１，１Ｒ  クロノグラフ時計
２，２Ｒ  クロノグラフ機構
３  クロノグラフ関連輪列
４，４Ｒ  クロノグラフ作動機構
５  クロノグラフ発停（スタート・ストップ）機構
６，６Ｒ  クロノグラフ帰零（リセット）機構
８  作動カム
８ａ  作動カムジャンパ
９  停止レバー
１０  地板
１１  クロノグラフ地板
１２  クロノグラフ受
１４  リュウズ
１５  日車
１６  文字板
２１  四番車
２１ａ  四番真
２２  分車
２２ａ  分歯車
２３  秒車
２３ａ  秒真
２３ｂ  秒針
２４  第二日の裏車
２９  秒伝え車
３０  秒クロノグラフ車
３１  秒クロノグラフ歯車
３２  秒クロノグラフ真
３３  クロノグラフ秒針
３４  秒ハートカム
３５  秒クロノグラフ中間車
４０  分クロノグラフ車
４１  分クロノグラフ歯車
４１ａ，４１ｂ  分クロノグラフ中間車
４２  分クロノグラフ真
４３  クロノグラフ分針
４４  分ハートカム
５１  発停（スタート・ストップ）ボタン
５２ａ  第一作動レバー（作動レバーＡ）
５２ｂ  第二作動レバー（作動レバーＢ）
５３  分発停レバー
５４ａ  第一発停レバー（発停レバーＡ）
５４ｂ  第二発停レバー（発停レバーＢ）
６１  帰零（リセット）ボタン
６２  第一復針伝えレバー（復針伝えレバーＡ）
６３  第二復針伝えレバー（復針伝えレバーＢ）
６３ｃ  作動部
６４  復針レバー
６４ａ  頭部側腕部
６４ｂ  胴尾部側腕部
６４ｃ，６４ｄ  羽根側腕部
６５ａ  案内溝部
６５ａ１  大きい溝部分
６５ｂ  案内穴部
６５ｂ１  大きい穴部分
６５ｃ  復針レバー作動ピン（被作動部）
６６ａ，６６ｂ  ガイドピン
６７ａ  秒ハートカム接触部
６７ｂ  分ハートカム接触部
６７ｃ  度決め車接触部
７１  クリックばね
８０  度決め車
８２  度決め軸
８４  円板状部（力受体）
９０  ２４時車
９１  ２４時中間車
９２  ２４時歯車
９３  ２４時真
９４  度決めブシュ（力受体）
９５ａ  ２４時車スリップばね
９５ｂ  スリップばね止め座
９６  ２４時針
Ａ１  方向
Ｂ１  方向
Ｃ，ＣＭ，ＣＳ  回転中心軸線
Ｄ１，Ｄ２  回動方向
Ｅ１，Ｅ２  移動方向
Ｆ，Ｆ１，Ｆ２，Ｆ３  力
【図１】
2010151642.tif 000003
【図２】
2010151642.tif 000004
【図３】
2010151642.tif 000005
【図４】
2010151642.tif 000006
【図５】
2010151642.tif 000007
【図６】
2010151642.tif 000008
【図７】
2010151642.tif 000009